(57)【要約】【課題】三脚に対して容易に着脱でき、しかも操作性が良好な傘支持装置を提供する。【解決手段】傘支持装置１は、軸部材10を介して互いに回動可能に連結し三脚の昇降杆を挟持する一対の挟持体11と、両挟持体11を杆挟持方向に付勢するコイルスプリング12とを備える。両挟持体11には傘を支持する傘支持体13を軸部材10を介して取り付ける。傘支持装置１は、コイルスプリング12の付勢に基づく抵抗力に抗して両挟持体11を回動させる際に、その回動途中でコイルスプリング12の付勢に基づく抵抗力を減少させる抵抗力減少手段14を備える。【選択図】図２
2007205454.tif 000002
【特許請求の範囲】
【請求項１】
互いに回動可能に連結され、三脚の昇降杆を挟持する一対の挟持体と、
これら両挟持体を杆挟持方向に付勢する付勢体と、
前記挟持体に取り付けられ、傘を支持する傘支持体と、
前記付勢体の付勢に基づく抵抗力に抗して前記両挟持体を回動させる際に、その回動途中で前記付勢体の付勢に基づく抵抗力を減少させる抵抗力減少手段と
を備えることを特徴とする傘支持装置。
【請求項２】
一対の挟持体は、軸部材を介して互いに回動可能に連結され、
傘支持体は、前記軸部材を介して前記一対の挟持体に取り付けられている
ことを特徴とする請求項１記載の傘支持装置。
【発明の詳細な説明】
【技術分野】
【０００１】
本発明は、三脚に対する着脱を容易に行うことができる傘支持装置に関するものである。
【背景技術】
【０００２】
従来、例えば三脚の雲台固定部と雲台との間に着脱可能に取り付けられる基台と、この基台に対しアームを介して連結されたシャフト固定部と、このシャフト固定部に傘のシャフトを固定するための締結手段とを備えた傘支持装置が知られている（例えば、特許文献１参照）。
【特許文献１】特開２００１−５６０９３号公報
【発明の開示】
【発明が解決しようとする課題】
【０００３】
しかしながら、上記従来の傘支持装置では、三脚への取付けの際には、三脚の雲台固定部の雲台固定ねじを基台の三脚取付ねじ孔にねじ込んだ後、雲台の三脚固定ねじ孔に基台の雲台取付ねじをねじ込まなければならず、また、三脚からの取外しの際には、基台の雲台取付ねじを雲台の三脚固定ねじ孔から抜くとともに、三脚の雲台固定部の雲台固定ねじを基台の三脚取付ねじ孔から抜かなければならず、三脚に対する着脱に手間がかかるという問題がある。
【０００４】
本発明は、このような点に鑑みなされたもので、三脚に対する着脱を容易に行うことができる傘支持装置を提供することを目的とする。
【課題を解決するための手段】
【０００５】
請求項１記載の傘支持装置は、互いに回動可能に連結され、三脚の昇降杆を挟持する一対の挟持体と、これら両挟持体を杆挟持方向に付勢する付勢体と、前記挟持体に取り付けられ、傘を支持する傘支持体と、前記付勢体の付勢に基づく抵抗力に抗して前記両挟持体を回動させる際に、その回動途中で前記付勢体の付勢に基づく抵抗力を減少させる抵抗力減少手段とを備えるものである。
【０００６】
請求項２記載の傘支持装置は、請求項１記載の傘支持装置において、一対の挟持体は、軸部材を介して互いに回動可能に連結され、傘支持体は、前記軸部材を介して前記一対の挟持体に取り付けられているものである。
【発明の効果】
【０００７】
請求項１に係る発明によれば、互いに回動可能に連結された一対の挟持体による三脚の昇降杆の挟持およびその挟持の解除により、三脚に対する着脱を容易に行うことができ、しかも、付勢体の付勢に基づく抵抗力に抗して両挟持体を回動させる際にその回動途中で付勢体の付勢に基づく抵抗力を減少させる抵抗力減少手段を備えるため、操作者は両挟持体を軽くスムーズに回動操作でき、操作性に優れている。
【０００８】
請求項２に係る発明によれば、一対の挟持体が軸部材を介して互いに回動可能に連結され、傘支持体が軸部材を介して一対の挟持体に取り付けられているため、傘支持体にて傘を安定的に支持できる。
【発明を実施するための最良の形態】
【０００９】
本発明の傘支持装置の一実施の形態を図面を参照して説明する。
【００１０】
図１ないし図８において、１は傘支持装置で、この傘支持装置１は、例えば雨天時に雨がカメラ、ビデオカメラ等の撮影機にあたらないようにするために、三脚２の昇降杆（センターポール）３に着脱可能に取り付けられ傘５を支持する傘支持用クランプである。
【００１１】
三脚２は、基体８を備え、この基体８には３本の脚体９が回動可能に設けられている。また、基体８には昇降杆３が昇降可能に設けられ、昇降杆３の上端部にねじ部3aが形成されている。そして、昇降杆３のねじ部3aに雲台が取り付けられ、この雲台にカメラ、ビデオカメラ等の撮影機が取り付けられる。
【００１２】
傘支持装置１は、上下方向の軸部材10を介して互いに回動可能に連結され先端側で三脚２の昇降杆３を挟持する左右一対の挟持体11と、両挟持体11を杆挟持方向Ａ、つまり挟持体11の先端部相互が互いに接近する方向に付勢する略円筒状の付勢体であるコイルスプリング12とを備えている。
【００１３】
また、傘支持装置１は、軸部材10を介して両挟持体11に固定して取り付けられ傘５を支持する傘支持体13と、コイルスプリング12の付勢に基づく抵抗力に抗して両挟持体11を杆挟持方向Ａとは反対の方向、つまり挟持体11の先端部相互が互いに離れる方向に回動させる際にその回動途中でコイルスプリング12の付勢に基づく抵抗力（反力）を減少させる抵抗力減少手段（トグル手段）14とを備えている。
【００１４】
左右一対の挟持体11の各々は、軸部材10を介して互いに回動可能に連結された挟持本体部21と、この挟持本体部21の先端側に三脚２の昇降杆３の外径寸法に応じて前後方向に移動調節可能に設けられ昇降杆３の外周に当接する杆当接部22とを有している。
【００１５】
挟持本体部21は、三脚２の昇降杆３を挟持する先端側部分23と、操作者が手で把持する基端側部分24と、先端側部分23および基端側部分24間に位置する軸受部分25とにて構成されている。
【００１６】
先端側部分23の上下部内面には、前後方向に長手状の凹凸部26が形成されている。先端側部分23の上下方向中央部には、前後方向に長手状の長孔部27が先端側部分23の内外面に貫通して形成されている。また、先端側部分23の上下部には、三脚２の昇降杆３の外周に当接する略円弧状の杆当接突部28が軸受部分25に近接して形成されている。
【００１７】
基端側部分24は、互いに上下に離間対向する上板31および下板32を有し、上板31の外縁部と下板32の外縁部とが連結板33にて連結されている。上板31および下板32間には上下方向のリンク連結用軸部34が設けられ、連結板33におけるリンク連結用軸部34と対向する部分には、略矩形状の開口部35が形成されている。連結板33の外面には、操作者の手との摩擦を増大させるための複数列状の溝部36が形成されている。また、軸受部分25には軸用孔部37が形成され、この軸用孔部37に軸部材10が差し込まれている。
【００１８】
杆当接部22は、挟持本体部21の先端側部分23の長孔部27に沿って前後方向に移動調節可能な当接部材41と、この当接部材41を挟持本体部21の先端側部分23に取り付けるための取付部材42と、当接部材41を挟持本体部21側に向けて付勢する略板状の付勢部材43とを有している。
【００１９】
当接部材41は、挟持本体部21の先端側部分23の杆当接突部28と離間対向する略円筒状の円筒状部45と、この円筒状部45に一体に設けられた板部46とにて構成されている。当接部材41の板部46には、挟持本体部21の先端側部分23の凹凸部26と係合する位置決め用凹凸部47が形成されている。そして、三脚２の昇降杆３の外径寸法に応じて杆当接部22を挟持本体部21に対して移動調節する際には、付勢部材43の付勢に抗して当接部材41を挟持本体部21から離し、当接部材41の板部46の位置決め用凹凸部47と挟持本体部21の先端側部分23の凹凸部26との係合を解除する。
【００２０】
傘支持体13は、一端部である前端部が軸部材10に連結固定された前後方向に長手状で略円筒状の連結杆部51と、この連結杆部51の他端部である後端部に固着され傘５のシャフト６を支持する傘支持部52とを有している。
【００２１】
連結杆部51の前端部には軸用孔部54が形成され、この軸用孔部54に軸部材10が挿通固定されている。連結杆部51の長手方向略中央には軸用孔部55が形成され、この軸用孔部55にストッパ用軸部材56が挿通固定されている。連結杆部51の後端側における外周側には、圧縮ばねであるコイルスプリング12が配設されている。
【００２２】
傘支持部52は、連結杆部51の後端部に固定具57にて固着された支持部材58と、支持部材58のねじ孔部59に螺着された螺着部材60と、支持部材58の筒状部61内に嵌脱可能に嵌入され螺着部材60のねじ部62に螺着された略円筒状のジョイント部材である筒状部材64とを有している。
【００２３】
筒状部材64は、傘５のシャフト６の下端部に形成されたねじ部７に予め螺着しておくものである。なお、傘５のシャフト６のねじ部７には２種類の大きさがあり、傘支持部52の筒状部材64は、いずれの大きさのねじ部７にも対応可能となっている。
【００２４】
筒状部材64は、支持部材58の略円筒状の筒状部61内に嵌脱可能に嵌入される略円筒状で上下面開口状の本体部65を有している。本体部65の上下部内周面には螺着部材60のねじ部62に螺着されるねじ部66が形成されている。本体部65内には略円筒状で上下面開口状の中筒状部67が配設固定され、この中筒状部67の内周面には傘５のシャフト６のねじ部７に螺着される第１ねじ部68および第２ねじ部69が形成されている。
【００２５】
そして、図８に示されるように、第１ねじ部68および第２ねじ部69のうち傘５のシャフト６のねじ部７の大きさに対応したいずれ一方がそのシャフト６のねじ部７に螺着されることにより、傘５のシャフト６の下端部に傘支持体13の筒状部材64が着脱可能に取り付けられている。
【００２６】
抵抗力減少手段14は、図６および図７等に示すように、傘支持体13の連結杆部51の外周側にこの連結杆部51に沿ってスライド可能に設けられたスライド部材71と、このスライド部材71のリンク連結用軸部73に一端部が回動可能に連結され他端部が挟持体11の挟持本体部21のリンク連結用軸部34に回動可能に連結された左右一対のリンク部材72とを有している。
【００２７】
スライド部材71は、略円筒状で前後面開口状の筒状部74を有し、この筒状部74の上下に上板部75および下板部76が一体に設けられ、上板部75の左右端部と下板部76の左右端部とがリンク連結用軸部73にて連結されている。各リンク部材72は、長手方向両端部に平面視で略Ｃ字状をなす連結部77を有し、この各連結部77がリンク連結用軸部34，73に回動可能に連結されている。リンク部材72の連結部77はリンク連結用軸部34，73に対して着脱可能となっている。スライド部材71の筒状部74と支持部材58との間にコイルスプリング12が圧縮された状態で配設され、コイルスプリング12の一端部がスライド部材71の筒状部74の端面に当接し、コイルスプリング12の他端部が支持部材58のばね受部58aに当接している。
【００２８】
そして、図４および図６に示すように、傘支持装置１を三脚２の昇降杆３から取り外し、左右一対の挟持体11による昇降杆３の挟持を解除すると、スライド部材71は、コイルスプリング12にて付勢されて前方に移動し、ストッパ用軸部材56に当接する。
【００２９】
また、図５および図７に示すように、傘支持装置１を三脚２の昇降杆３に取り付けるために、両挟持体11の挟持本体部21の基端側部分24を把持し、両挟持体11をこれら両挟持体11の基端部相互が当接するまでコイルスプリング12の付勢に基づく抵抗力に抗して杆挟持方向Ａとは反対の方向に回動させると、スライド部材71は、リンク部材72の長手方向が前後方向に略一致するまで、つまりリンク部材72の長手方向が連結杆部51の長手方向に略一致するまで、コイルスプリング12の付勢に抗して後方に移動する。
【００３０】
この両挟持体11の回動の際、その回動途中でコイルスプリング12の付勢に基づく挟持体11の抵抗力が減少し、操作者は挟持体11の回動途中から両挟持体11の把持力を小さくでき、すなわち手から両挟持体11に加える力を回動途中から小さくでき、両挟持体11を軽くスムーズに回動操作できる。
【００３１】
次に、上記一実施の形態の作用等を説明する。
【００３２】
予め、傘５のシャフト６のねじ部７に傘支持体13の筒状部材64を取り付けておく。また、挟持体11の杆当接部22を挟持本体部21に対して移動調節して、三脚２の昇降杆３の外径寸法に応じた所望位置に位置決め固定しておく。
【００３３】
図５等に示すように、操作者は、左右一対の挟持体11の挟持本体部21の基端側部分24を把持し、両挟持体11をこれら両挟持体11の基端部相互が当接するまでコイルスプリング12の付勢に基づく抵抗力に抗して杆挟持方向（閉方向）Ａとは反対の方向（開方向）に回動操作する。
【００３４】
この挟持体11の開方向への回動の際、その回動途中でコイルスプリング12の付勢に基づく挟持体11の抵抗力が減少するため、操作者は、挟持体11の回動途中から両挟持体11の把持力を小さくできる。
【００３５】
続いて、操作者は、左右一対の挟持体11の挟持本体部21の基端側部分24を把持して両挟持体11の先端側を開いた状態にしたまま、両挟持体11の先端側間に三脚２の昇降杆３を入れ、両挟持体11の挟持本体部21の基端側部分24から手を離す。
【００３６】
操作者が両挟持体11の挟持本体部21の基端側部分24から手を離すと、両挟持体11が軸部材10を中心としてコイルスプリング12の付勢によって杆挟持方向Ａである閉方向に回動し、三脚２の昇降杆３が左右の杆当接部22と左右の杆当接突部28とにて挟持される。
【００３７】
次いで、操作者は、傘５のシャフト６のねじ部７に取り付けられた筒状部材64を支持部材58の筒状部61内に嵌入し、筒状部材64の下端部内周側のねじ部66を螺着部材60の外周側のねじ部62に螺着する。
【００３８】
すると、図１に示すように、三脚２の昇降杆３に取り付けられた傘支持装置１にて傘５が支持され、この傘５の本体部5aにてカメラ、ビデオカメラ等の撮影機の上方部が覆われる。
【００３９】
なお、傘支持装置１を三脚２の昇降杆３から取り外す場合には、左右一対の挟持体11の挟持本体部21の基端側部分24を把持して両挟持体11の先端側を開いた状態にしてから、その両挟持体11の先端側間から三脚２の昇降杆３を抜き出す。
【００４０】
そして、このような傘支持装置１によれば、軸部材10を介して中間部で互いに回動可能に連結された左右一対の挟持体11を用いたクランプ構造であるため、従来の傘支持装置に比べて、左右一対の挟持体11による三脚２の昇降杆３の挟持およびその挟持の解除により三脚２に対する着脱を容易に行うことができる。
【００４１】
また、左右の各挟持体11が挟持本体部21とこの挟持本体部21に三脚２の昇降杆３の外径寸法に応じて移動調節可能に設けられた杆当接部22とを有するため、三脚２の昇降杆３の外径寸法が異なる各種の三脚に適切に対応できる。
【００４２】
さらに、左右一対の挟持体11が軸部材10を介して互いに回動可能に連結され、傘支持体13が軸部材10を介して左右一対の挟持体11に固定して取り付けられているため、傘支持体13にて傘５を適切かつ安定的に支持できる。
【００４３】
また、コイルスプリング12の付勢に基づく抵抗力に抗して両挟持体11を開方向に回動させる際にその回動途中でコイルスプリング12の付勢に基づく抵抗力を減少させる抵抗力減少手段14を備えるため、操作者は両挟持体11を軽くスムーズに回動操作でき、操作性に優れている。
【００４４】
なお、上記実施の形態では、傘支持体13の傘支持部52が、支持部材58のねじ孔部59に螺着された螺着部材60のねじ部62に螺着しかつ支持部材58の筒状部61内に嵌入する筒状部材64を有する構成について説明したが、例えば、筒状部材64を支持部材58の筒状部61内に嵌入するだけの構成でもよい。
【００４５】
また、傘５のシャフト６を支持する傘支持部52が連結杆部51の後端部に固着された構成には限定されず、例えば傘支持部52が連結杆部51の後端部に回動調節可能に設けられた構成等でもよい。
【００４６】
さらに、傘支持体13が軸部材10を介して両挟持体11の挟持本体部21の軸受部分25に取り付けられた構成には限定されず、例えば左右いずれかの挟持体11に取り付けられた構成等でもよい。
【図面の簡単な説明】
【００４７】
【図１】本発明の一実施の形態に係る傘支持装置で傘を支持した状態を示す側面図である。
【図２】同上傘支持装置の斜視図である。
【図３】同上傘支持装置の分解斜視図である。
【図４】同上傘支持装置の平面図である。
【図５】同上傘支持装置の挟持体を把持した状態を示す平面図である。
【図６】同上傘支持装置の横断面図である。
【図７】同上傘支持装置の横断面図である。
【図８】同上傘支持装置の縦断面図である。
【符号の説明】
【００４８】
１    傘支持装置
２    三脚
３    昇降杆
５    傘
10    軸部材
11    挟持体
12    付勢体であるコイルスプリング
13    傘支持体
14    抵抗力減少手段
Ａ    杆挟持方向
【図１】
2007205454.tif 000003
【図２】
2007205454.tif 000004
【図３】
2007205454.tif 000005
【図４】
2007205454.tif 000006
【図５】
2007205454.tif 000007
【図６】
2007205454.tif 000008
【図７】
2007205454.tif 000009
【図８】
2007205454.tif 000010